(57)【要約】【課題】生活習慣病重症化予防の効率を向上させる。【解決手段】生活習慣病重症化予防対象者抽出支援装置１の変数特定部１０２は、診療情報ＤＢ１１１と事業結果ＤＢ１１２とを参照して、改善群と非改善群の間で統計的に有意差のある検査項目を特定する。区間推定部１０３は、改善群について、変数特定部１０２により特定された検査項目の検査値の信頼区間を推定する。スコア割当部１０４は、変数特定部１０２により特定された検査項目の検査値がとり得る値に対して、区間推定部１０３により推定された信頼区間に基づいてスコアを割り当てる。スコア特定部１０５は、生活習慣病重症化予防の対象者候補の各検査値について、当該検査値に割り当てられたスコアを特定する。合計スコア算出部１０６は、生活習慣病重症化予防の対象者候補について、スコア特定部１０５により特定された各スコアを合計する。【選択図】図１
2018160012.tif 000002
【特許請求の範囲】
【請求項１】
複数の個人の各々について診療情報と生活習慣病重症化予防事業の結果とを記録するデータベースを参照して、生活習慣病重症化予防により健康状態が改善した改善群と改善しなかった非改善群との間で統計的に有意差のある１以上の変数であって、検査値又は当該検査値の変化量を各々示す１以上の変数を特定する変数特定部と、
前記改善群と前記非改善群のうちのいずれかについて、前記変数特定部により特定された１以上の変数の各々について当該変数の値の信頼区間を推定する区間推定部と、
前記１以上の変数の各々について、前記区間推定部により推定された信頼区間に基づいて当該変数がとり得る各値に、生活習慣病重症化予防により健康状態が改善する可能性を示すスコアを割り当てるスコア割当部と、
生活習慣病重症化予防の対象者候補の前記１以上の変数の各値について、前記スコア割当部により当該値に割り当てられたスコアを特定するスコア特定部と
を備える生活習慣病重症化予防対象者抽出支援装置。
【請求項２】
前記変数特定部は、前記改善群と前記非改善群との間で統計的に有意差のある１以上の他の変数であって、特定の病気の有無、特定の治療方法の採否又は特定の属性の有無を各々示す１以上の他の変数を特定し、
前記スコア割当部は、前記変数特定部により特定された前記１以上の他の変数の各々について、前記改善群の中で当該変数の一の値と前記データベースにおいて対応付けられている個人の数と前記非改善群の中で当該一の値と前記データベースにおいて対応付けられている個人の数の比較結果に基づいて、当該変数がとり得る各値にスコアを割り当て、
前記スコア特定部は、前記対象者候補の前記１以上の他の変数の各値について、前記スコア割当部により当該値に割り当てられたスコアを特定する
ことを特徴とする請求項１に記載の生活習慣病重症化予防対象者抽出支援装置。
【請求項３】
生活習慣病重症化予防の方法の選択を受け付ける選択受付部をさらに備え、
前記変数特定部は、前記選択受付部を介して選択された生活習慣病重症化予防の方法により健康状態が改善した改善群と改善しなかった非改善群との間で統計的に有意差のある１以上の変数を特定し、
前記区間推定部は、前記選択受付部を介して選択された生活習慣病重症化予防の方法により健康状態が改善した改善群と改善しなかった非改善群のうちのいずれかについて、前記変数特定部により特定された１以上の変数の各々について当該変数の値の信頼区間を推定する
ことを特徴とする請求項１又は２に記載の生活習慣病重症化予防対象者抽出支援装置。
【請求項４】
複数の個人の各々について診療情報と生活習慣病重症化予防事業の結果とを記録するデータベースを参照して、生活習慣病重症化予防に参加した参加群と参加しなかった不参加群との間で統計的に有意差のある１以上の変数であって、検査値又は当該検査値の変化量を各々示す１以上の変数を特定する変数特定部と、
前記参加群と前記不参加群のうちのいずれかについて、前記変数特定部により特定された１以上の変数の各々について当該変数の値の信頼区間を推定する区間推定部と、
前記１以上の変数の各々について、前記区間推定部により推定された信頼区間に基づいて当該変数がとり得る各値に、生活習慣病重症化予防に参加する可能性を示すスコアを割り当てるスコア割当部と、
生活習慣病重症化予防の対象者候補の前記１以上の変数の各値について、前記スコア割当部により当該値に割り当てられたスコアを特定するスコア特定部と
を備える生活習慣病重症化予防対象者抽出支援装置。
【請求項５】
前記変数特定部は、前記参加群と前記不参加群との間で統計的に有意差のある１以上の他の変数であって、特定の病気の有無、特定の治療方法の採否又は特定の属性の有無を各々示す１以上の他の変数を特定し、
前記スコア割当部は、前記変数特定部により特定された前記１以上の他の変数の各々について、前記参加群の中で当該変数の一の値と前記データベースにおいて対応付けられている個人の数と前記不参加群の中で当該一の値と前記データベースにおいて対応付けられている個人の数の比較結果に基づいて、当該変数がとり得る各値にスコアを割り当て、
前記スコア特定部は、前記対象者候補の前記１以上の他の変数の各値について、前記スコア割当部により当該値に割り当てられたスコアを特定する
ことを特徴とする請求項４に記載の生活習慣病重症化予防対象者抽出支援装置。
【請求項６】
前記変数特定部は、前記データベースが更新されると、統計的に有意差のある１以上の変数を再特定し、
前記区間推定部は、前記変数特定部により再特定された１以上の変数の各々について当該変数の値の信頼区間を再推定し、
前記スコア割当部は、前記１以上の変数の各々について、前記区間推定部により再推定された信頼区間に基づいて当該変数がとり得る各値に対してスコアの再割り当てを行う
ことを特徴とする請求項１乃至５のいずれか１項に記載の生活習慣病重症化予防対象者抽出支援装置。
【請求項７】
前記区間推定部は、前記１以上の変数の各々について、それぞれ信頼度が異なる複数の信頼区間を推定し、
前記スコア割当部は、前記１以上の変数の各々について、前記区間推定部により推定された複数の信頼区間に基づいて当該変数がとり得る各値にスコアを割り当てる
ことを特徴とする請求項１乃至６のいずれか１項に記載の生活習慣病重症化予防対象者抽出支援装置。
【請求項８】
生活習慣病重症化予防対象者抽出支援装置により実行される生活習慣病重症化予防対象者抽出支援方法であって、
複数の個人の各々について診療情報と生活習慣病重症化予防事業の結果とを記録するデータベースを参照して、生活習慣病重症化予防により健康状態が改善した改善群と改善しなかった非改善群との間で統計的に有意差のある１以上の変数であって、検査値又は当該検査値の変化量を各々示す１以上の変数を特定するステップと、
前記改善群と前記非改善群のうちのいずれかについて、前記特定された１以上の変数の各々について当該変数の値の信頼区間を推定するステップと、
前記１以上の変数の各々について、前記推定された信頼区間に基づいて当該変数がとり得る各値に、生活習慣病重症化予防により健康状態が改善する可能性を示すスコアを割り当てるステップと、
生活習慣病重症化予防の対象者候補の前記１以上の変数の各値について、当該値に割り当てられたスコアを特定するステップと
を備える生活習慣病重症化予防対象者抽出支援方法。
【請求項９】
生活習慣病重症化予防対象者抽出支援装置により実行される生活習慣病重症化予防対象者抽出支援方法であって、
複数の個人の各々について診療情報と生活習慣病重症化予防事業の結果とを記録するデータベースを参照して、生活習慣病重症化予防に参加した参加群と参加しなかった不参加群との間で統計的に有意差のある１以上の変数であって、検査値又は当該検査値の変化量を各々示す１以上の変数を特定するステップと、
前記参加群と前記不参加群のうちのいずれかについて、前記特定された１以上の変数の各々について当該変数の値の信頼区間を推定するステップと、
前記１以上の変数の各々について、前記推定された信頼区間に基づいて当該変数がとり得る各値に、生活習慣病重症化予防に参加する可能性を示すスコアを割り当てるステップと、
生活習慣病重症化予防の対象者候補の前記１以上の変数の各値について、当該値に割り当てられたスコアを特定するステップと
を備える生活習慣病重症化予防対象者抽出支援方法。
【請求項１０】
コンピュータに、
複数の個人の各々について診療情報と生活習慣病重症化予防事業の結果とを記録するデータベースを参照して、生活習慣病重症化予防により健康状態が改善した改善群と改善しなかった非改善群との間で統計的に有意差のある１以上の変数であって、検査値又は当該検査値の変化量を各々示す１以上の変数を特定するステップと、
前記改善群と前記非改善群のうちのいずれかについて、前記特定された１以上の変数の各々について当該変数の値の信頼区間を推定するステップと、
前記１以上の変数の各々について、前記推定された信頼区間に基づいて当該変数がとり得る各値に、生活習慣病重症化予防により健康状態が改善する可能性を示すスコアを割り当てるステップと、
生活習慣病重症化予防の対象者候補の前記１以上の変数の各値について、当該値に割り当てられたスコアを特定するステップと
を実行させるためのプログラム。
【請求項１１】
コンピュータに、
複数の個人の各々について診療情報と生活習慣病重症化予防事業の結果とを記録するデータベースを参照して、生活習慣病重症化予防に参加した参加群と参加しなかった不参加群との間で統計的に有意差のある１以上の変数であって、検査値又は当該検査値の変化量を各々示す１以上の変数を特定するステップと、
前記参加群と前記不参加群のうちのいずれかについて、前記特定された１以上の変数の各々について当該変数の値の信頼区間を推定するステップと、
前記１以上の変数の各々について、前記推定された信頼区間に基づいて当該変数がとり得る各値に、生活習慣病重症化予防に参加する可能性を示すスコアを割り当てるステップと、
生活習慣病重症化予防の対象者候補の前記１以上の変数の各値について、当該値に割り当てられたスコアを特定するステップと
を実行させるためのプログラム。
【発明の詳細な説明】
【技術分野】
【０００１】
本発明は、生活習慣病重症化予防の対象者の抽出を支援するための装置、方法及びプログラムに関する。
【背景技術】
【０００２】
従来、糖尿病等の生活習慣病の重症化を予防するための管理システムが知られている。例えば、特許文献１には、レセプトデータから抽出した傷病名、医薬品情報及び診療行為情報に基づいて、患者が所定の傷病における各ステージのいずれに該当するかを判定することにより、適切な処置を行うための情報を提供し、傷病が重症化することを防止するための傷病管理システムが記載されている。
【先行技術文献】
【特許文献】
【０００３】
【特許文献１】特許第５２０３４８１号公報
【発明の概要】
【発明が解決しようとする課題】
【０００４】
近年、生活習慣病の発症リスクが高く、生活習慣の改善による生活習慣病の予防効果が期待できる国民に対して自治体等により生活習慣病重症化予防が実施されている。しかし、生活習慣病重症化予防を行える専門職の数や事業の予算には限りがあり、効率的に生活習慣病重症化予防を実施するための仕組みが求められている。
【０００５】
本発明は、このような事情に鑑みてなされたものであり、生活習慣病重症化予防の効率を向上させることを目的とする。
【課題を解決するための手段】
【０００６】
上記の課題を解決するため、本発明に係る生活習慣病重症化予防対象者抽出支援装置は、複数の個人の各々について診療情報と生活習慣病重症化予防事業の結果とを記録するデータベースを参照して、生活習慣病重症化予防により健康状態が改善した改善群と改善しなかった非改善群との間で統計的に有意差のある１以上の変数であって、検査値又は当該検査値の変化量を各々示す１以上の変数を特定する変数特定部と、前記改善群と前記非改善群のうちのいずれかについて、前記変数特定部により特定された１以上の変数の各々について当該変数の値の信頼区間を推定する区間推定部と、前記１以上の変数の各々について、前記区間推定部により推定された信頼区間に基づいて当該変数がとり得る各値に、生活習慣病重症化予防により健康状態が改善する可能性を示すスコアを割り当てるスコア割当部と、生活習慣病重症化予防の対象者候補の前記１以上の変数の各値について、前記スコア割当部により当該値に割り当てられたスコアを特定するスコア特定部とを備える。
【０００７】
好ましい態様において、前記変数特定部は、前記改善群と前記非改善群との間で統計的に有意差のある１以上の他の変数であって、特定の病気の有無、特定の治療方法の採否又は特定の属性の有無を各々示す１以上の他の変数を特定し、前記スコア割当部は、前記変数特定部により特定された前記１以上の他の変数の各々について、前記改善群の中で当該変数の一の値と前記データベースにおいて対応付けられている個人の数と前記非改善群の中で当該一の値と前記データベースにおいて対応付けられている個人の数の比較結果に基づいて、当該変数がとり得る各値にスコアを割り当て、前記スコア特定部は、前記対象者候補の前記１以上の他の変数の各値について、前記スコア割当部により当該値に割り当てられたスコアを特定する。
【０００８】
さらに好ましい態様において、前記生活習慣病重症化予防対象者抽出支援装置は、生活習慣病重症化予防の方法の選択を受け付ける選択受付部をさらに備え、前記変数特定部は、前記選択受付部を介して選択された生活習慣病重症化予防の方法により健康状態が改善した改善群と改善しなかった非改善群との間で統計的に有意差のある１以上の変数を特定し、前記区間推定部は、前記選択受付部を介して選択された生活習慣病重症化予防の方法により健康状態が改善した改善群と改善しなかった非改善群のうちのいずれかについて、前記変数特定部により特定された１以上の変数の各々について当該変数の値の信頼区間を推定する。
【０００９】
また、本発明に係る生活習慣病重症化予防対象者抽出支援装置は、複数の個人の各々について診療情報と生活習慣病重症化予防事業の結果とを記録するデータベースを参照して、生活習慣病重症化予防に参加した参加群と参加しなかった不参加群との間で統計的に有意差のある１以上の変数であって、検査値又は当該検査値の変化量を各々示す１以上の変数を特定する変数特定部と、前記参加群と前記不参加群のうちのいずれかについて、前記変数特定部により特定された１以上の変数の各々について当該変数の値の信頼区間を推定する区間推定部と、前記１以上の変数の各々について、前記区間推定部により推定された信頼区間に基づいて当該変数がとり得る各値に、生活習慣病重症化予防に参加する可能性を示すスコアを割り当てるスコア割当部と、生活習慣病重症化予防の対象者候補の前記１以上の変数の各値について、前記スコア割当部により当該値に割り当てられたスコアを特定するスコア特定部とを備える。
【００１０】
好ましい態様において、前記変数特定部は、前記参加群と前記不参加群との間で統計的に有意差のある１以上の他の変数であって、特定の病気の有無、特定の治療方法の採否又は特定の属性の有無を各々示す１以上の他の変数を特定し、前記スコア割当部は、前記変数特定部により特定された前記１以上の他の変数の各々について、前記参加群の中で当該変数の一の値と前記データベースにおいて対応付けられている個人の数と前記不参加群の中で当該一の値と前記データベースにおいて対応付けられている個人の数の比較結果に基づいて、当該変数がとり得る各値にスコアを割り当て、前記スコア特定部は、前記対象者候補の前記１以上の他の変数の各値について、前記スコア割当部により当該値に割り当てられたスコアを特定する。
【００１１】
さらに好ましい態様において、前記変数特定部は、前記データベースが更新されると、統計的に有意差のある１以上の変数を再特定し、前記区間推定部は、前記変数特定部により再特定された１以上の変数の各々について当該変数の値の信頼区間を再推定し、前記スコア割当部は、前記１以上の変数の各々について、前記区間推定部により再推定された信頼区間に基づいて当該変数がとり得る各値に対してスコアの再割り当てを行う。
【００１２】
さらに好ましい態様において、前記区間推定部は、前記１以上の変数の各々について、それぞれ信頼度が異なる複数の信頼区間を推定し、前記スコア割当部は、前記１以上の変数の各々について、前記区間推定部により推定された複数の信頼区間に基づいて当該変数がとり得る各値にスコアを割り当てる。
【００１３】
また、本発明に係る生活習慣病重症化予防対象者抽出支援方法は、生活習慣病重症化予防対象者抽出支援装置により実行される生活習慣病重症化予防対象者抽出支援方法であって、複数の個人の各々について診療情報と生活習慣病重症化予防事業の結果とを記録するデータベースを参照して、生活習慣病重症化予防により健康状態が改善した改善群と改善しなかった非改善群との間で統計的に有意差のある１以上の変数であって、検査値又は当該検査値の変化量を各々示す１以上の変数を特定するステップと、前記改善群と前記非改善群のうちのいずれかについて、前記特定された１以上の変数の各々について当該変数の値の信頼区間を推定するステップと、前記１以上の変数の各々について、前記推定された信頼区間に基づいて当該変数がとり得る各値に、生活習慣病重症化予防により健康状態が改善する可能性を示すスコアを割り当てるステップと、生活習慣病重症化予防の対象者候補の前記１以上の変数の各値について、当該値に割り当てられたスコアを特定するステップとを備える。
【００１４】
また、本発明に係る生活習慣病重症化予防対象者抽出支援方法は、生活習慣病重症化予防対象者抽出支援装置により実行される生活習慣病重症化予防対象者抽出支援方法であって、複数の個人の各々について診療情報と生活習慣病重症化予防事業の結果とを記録するデータベースを参照して、生活習慣病重症化予防に参加した参加群と参加しなかった不参加群との間で統計的に有意差のある１以上の変数であって、検査値又は当該検査値の変化量を各々示す１以上の変数を特定するステップと、前記参加群と前記不参加群のうちのいずれかについて、前記特定された１以上の変数の各々について当該変数の値の信頼区間を推定するステップと、前記１以上の変数の各々について、前記推定された信頼区間に基づいて当該変数がとり得る各値に、生活習慣病重症化予防に参加する可能性を示すスコアを割り当てるステップと、生活習慣病重症化予防の対象者候補の前記１以上の変数の各値について、当該値に割り当てられたスコアを特定するステップとを備える。
【００１５】
また、本発明に係るプログラムは、コンピュータに、複数の個人の各々について診療情報と生活習慣病重症化予防事業の結果とを記録するデータベースを参照して、生活習慣病重症化予防により健康状態が改善した改善群と改善しなかった非改善群との間で統計的に有意差のある１以上の変数であって、検査値又は当該検査値の変化量を各々示す１以上の変数を特定するステップと、前記改善群と前記非改善群のうちのいずれかについて、前記特定された１以上の変数の各々について当該変数の値の信頼区間を推定するステップと、前記１以上の変数の各々について、前記推定された信頼区間に基づいて当該変数がとり得る各値に、生活習慣病重症化予防により健康状態が改善する可能性を示すスコアを割り当てるステップと、生活習慣病重症化予防の対象者候補の前記１以上の変数の各値について、当該値に割り当てられたスコアを特定するステップとを実行させるためのプログラムである。
【００１６】
また、本発明に係るプログラムは、コンピュータに、複数の個人の各々について診療情報と生活習慣病重症化予防事業の結果とを記録するデータベースを参照して、生活習慣病重症化予防に参加した参加群と参加しなかった不参加群との間で統計的に有意差のある１以上の変数であって、検査値又は当該検査値の変化量を各々示す１以上の変数を特定するステップと、前記参加群と前記不参加群のうちのいずれかについて、前記特定された１以上の変数の各々について当該変数の値の信頼区間を推定するステップと、前記１以上の変数の各々について、前記推定された信頼区間に基づいて当該変数がとり得る各値に、生活習慣病重症化予防に参加する可能性を示すスコアを割り当てるステップと、生活習慣病重症化予防の対象者候補の前記１以上の変数の各値について、当該値に割り当てられたスコアを特定するステップとを実行させるためのプログラムである。
【発明の効果】
【００１７】
本発明によれば、生活習慣病重症化予防の効率を向上させることができる。
【図面の簡単な説明】
【００１８】
【図１】生活習慣病重症化予防対象者抽出支援装置１の構成の一例を示す図である。
【図２】診療情報ＤＢ１１１の一例を示す図である。
【図３】事業結果ＤＢ１１２の一例を示す図である。
【図４】統計結果ＤＢ１１３の一例を示す図である。
【図５】スコアテーブル１１４の一例を示す図である。
【図６】対象者中間スコアＤＢ１１５の一例を示す図である。
【図７】対象者最終スコアＤＢ１１６の一例を示す図である。
【図８】スコアテーブル作成処理の一例を示すフロー図である。
【図９】生活習慣病重症化予防対象者評価処理の一例を示すフロー図である。
【発明を実施するための形態】
【００１９】
１．実施形態
１−１．構成
図１は、本発明の一実施形態に係る生活習慣病重症化予防対象者抽出支援装置１（以下、「対象者抽出支援装置１」という。）の構成の一例を示す図である。対象者抽出支援装置１は、生活習慣病重症化予防を効率的に実施するために最適な対象者の抽出を支援することを目的とした装置である。なおここで、生活習慣病重症化予防（又は、生活習慣病重症化予防指導）とは、生活習慣病の発症又は重症化のリスクが高く、生活習慣の改善による生活習慣病の発症又は重症化の予防効果が期待できる人に対して、生活習慣を見直すサポートを行う行為である。生活習慣病重症化予防は主に、保健師、看護師、管理栄養士により実施される。なお、本実施形態における生活習慣病重症化予防は、特定保健指導（高齢者の医療の確保に関する法律（昭和５７年８月１７日法律第８０号）第１８条第１項に規定する、特定健康診査の結果により健康の保持に努める必要がある者に対し、保健指導に関する専門的知識及び技術を有する者が行う保健指導）とは異なる。ただし、変形例においてはこの限りではない。
【００２０】
対象者抽出支援装置１は、制御部１０と、記憶部１１と、操作入力部１２と、表示部１３と、通信部１４とを備えるコンピュータ装置である。なお変形例として、対象者抽出支援装置１は、通信回線により相互に接続された複数のコンピュータ装置により構成されてもよい。
【００２１】
制御部１０は、ＣＰＵ等の演算処理装置と揮発性のメモリとを備え、記憶部１１に記憶されるプログラムを実行する。制御部１０がプログラムを実行することにより実現される機能については後述する。
【００２２】
記憶部１１は、ハードディスク等の記憶装置であり、制御部１０により実行されるプログラムの他、以下に説明する各種のデータベースを記憶する。
【００２３】
図２は、診療情報ＤＢ１１１の一例を示す図である。診療情報ＤＢ１１１は、複数の個人の各々について診療情報（言い換えるとカルテ情報）を記録するデータベースである。診療情報ＤＢ１１１の各レコードは、個人の氏名並びに被保険者証の記号及び番号と、ＨｂＡ１ｃ（ヘモグロビンＡ１ｃ）の値及び測定日と、ＢＭＩ（体格指数）の値及び測定日と、血圧（収縮期及び拡張期）の値及び測定日の各フィールドにより構成される。この診療情報ＤＢ１１１に記録されるデータは、後述する情報取得部１０１により通信回線を介して取得されるか、または対象者抽出支援装置１の利用者により手入力される。
【００２４】
なお、診療情報ＤＢ１１１には、個人を識別するための情報として、性別、生年月日、マイナンバー等の情報も格納されてもよい。また、診療情報ＤＢ１１１に登録される個人は、必ずしも被保険者に限られない。これらの事は、以下で説明する事業結果ＤＢ１１２と対象者中間スコアＤＢ１１５と対象者最終スコアＤＢ１１６についても同様である。
【００２５】
図３は、事業結果ＤＢ１１２の一例を示す図である。事業結果ＤＢ１１２は、複数の個人の各々について生活習慣病重症化予防事業の結果を記録するデータベースである。ここで生活習慣病重症化予防事業とは、各個人に対して生活習慣病重症化予防を実施する取り組みであり、国、自治体、企業等により実施される。生活習慣病重症化予防事業には、例えば、生活習慣病重症化予防プログラムがある。この事業結果ＤＢ１１２の各レコードは、個人の氏名並びに被保険者証の記号及び番号と、事業名称と、生活習慣病重症化予防への参加に対する同意の有無（言い換えると、生活習慣病重症化予防への参加の有無）及び回答日と、生活習慣病重症化予防の介入方法、介入開始日、介入結果及び介入終了日の各フィールドにより構成される。この事業結果ＤＢ１１２に記録されるデータは、後述する情報取得部１０１により通信回線を介して取得されるか、または対象者抽出支援装置１の利用者により手入力される。
【００２６】
図４は、統計結果ＤＢ１１３の一例を示す図である。統計結果ＤＢ１１３は、上記の診療情報ＤＢ１１１と事業結果ＤＢ１１２とを参照して特定される、所定の分類カテゴリについて統計的に有意な検査項目の検査値を記録するデータベースである。統計結果ＤＢ１１３の各レコードは、事業名称と、分類カテゴリと、ＨｂＡ１ｃの値と、ＢＭＩの値と、血圧（収縮期及び拡張期）の値の各フィールドにより構成される。ここで、分類カテゴリは、生活習慣病重症化予防への参加に同意した同意群と、生活習慣病重症化予防により健康状態が改善した改善群の２つである。
【００２７】
図５は、スコアテーブル１１４の一例を示す図である。スコアテーブル１１４は、上記の統計結果ＤＢ１１３を参照して検査項目の各値に対して割り当てられたスコアを格納するテーブルである。スコアテーブル１１４の各レコードは、検査項目と、数値と、複数のスコアカテゴリの各々について割り当てられるスコアの各フィールドにより構成される。ここで、複数のスコアカテゴリには、一例として、「注意喚起・同意」カテゴリと、「注意喚起・改善」カテゴリと、「重症化予防指導・同意」カテゴリと、「重症化予防指導・改善」カテゴリとがある。これらのスコアカテゴリのうち、「注意喚起・同意」と「重症化予防指導・同意」のスコアは、事業に係る生活習慣病重症化予防に参加する可能性を示している。一方、「注意喚起・改善」と「重症化予防指導・改善」のスコアは、事業に係る生活習慣病重症化予防により健康状態が改善する可能性を示している。なお、図５に例示するスコアテーブル１１４は、収縮期血圧の各値に対するスコアを格納するスコアテーブルであり、その他の検査項目（具体的には、ＨｂＡ１ｃ、ＢＭＩ及び拡張期血圧）についても各々スコアテーブルが用意される。
【００２８】
図６は、対象者中間スコアＤＢ１１５の一例を示す図である。対象者中間スコアＤＢ１１５は、上記のスコアテーブル１１４を参照して生活習慣病重症化予防の対象者候補の各検査値について特定されたスコアを記録するデータベースである。対象者中間スコアＤＢ１１５の各レコードは、個人の氏名並びに被保険者証の記号及び番号と、検査項目と、複数のスコアカテゴリの各々について特定されるスコアの各フィールドにより構成される。
【００２９】
図７は、対象者最終スコアＤＢ１１６の一例を示す図である。対象者最終スコアＤＢ１１６は、上記の対象者中間スコアＤＢ１１５を参照して生活習慣病重症化予防の対象者候補について特定された合計スコアと評価指標とを記録するデータベースである。対象者最終スコアＤＢ１１６の各レコードは、個人の氏名並びに被保険者証の記号及び番号と、複数のスコアカテゴリの各々について特定される合計スコア及び評価指標の各フィールドにより構成される。ここで、合計スコア及び評価指標のうち、図７に例示する「注意喚起・同意」と「重症化予防指導・同意」の各カテゴリに係る合計スコアと評価指標は、事業に係る生活習慣病重症化予防に参加する可能性を示している。一方、「注意喚起・改善」と「重症化予防指導・改善」の各カテゴリに係る合計スコアと評価指標は、事業に係る生活習慣病重症化予防により健康状態が改善する可能性を示している。
以上が、記憶部１１についての説明である。
【００３０】
操作入力部１２は、マウスやキーボードやタッチセンサ等の入力装置である。
【００３１】
表示部１３は、液晶ディスプレイや有機ＥＬディスプレイ等の表示装置である。表示部１３には、利用者による指示に従って、対象者最終スコアＤＢ１１６に記録されるデータが表示される。
【００３２】
通信部１４は、通信回線を介して外部装置と通信を行うための通信モジュールである。
【００３３】
上記の制御部１０は、記憶部１１に記憶されるプログラムを実行することにより、以下に説明する機能を実現する。
【００３４】
情報取得部１０１は、医療機関又は臨床検査会社から通信部１４を介して診療情報を取得して診療情報ＤＢ１１１に格納する。仮に各医療機関の診療情報を統合的に管理するデータベースが存在する場合には、当該データベースから通信部１４を介して診療情報を取得してもよい。また、情報取得部１０１は、医療機関又は医療保険者（具体的には、自治体、健康保険組合等）から通信部１４を介して生活習慣病重症化予防事業の結果情報を取得して事業結果ＤＢ１１２に格納する。
【００３５】
変数特定部１０２は、診療情報ＤＢ１１１と事業結果ＤＢ１１２とを参照して、事業ごとに、生活習慣病重症化予防に参加した参加群と参加しなかった不参加群との間で統計的に有意差のある１以上の検査項目を特定する。ここで、参加群とは、生活習慣病重症化予防への参加に同意している個人からなるグループであり、不参加群とは、生活習慣病重症化予防への参加に同意していない個人からなるグループである。変数特定部１０２は、有意差の確認にｔ検定を用い、参加群と不参加群との間で、事業の介入開始日より前の直近の検査値の平均に有意な差があるか否かを確認する。
【００３６】
また、変数特定部１０２は、診療情報ＤＢ１１１と事業結果ＤＢ１１２とを参照して、生活習慣病重症化予防により健康状態が改善した改善群と改善しなかった非改善群との間で統計的に有意差のある１以上の検査項目を特定する。ここで、改善群とは、生活習慣病重症化予防により健康状態が改善した個人からなるグループであり、非改善群とは、生活習慣病重症化予防により健康状態が維持又は悪化した個人からなるグループである。変数特定部１０２は、有意差の確認にｔ検定を用い、改善群と非改善群との間で、事業の介入開始日より前の直近の検査値の平均に有意な差があるか否かを確認する。
【００３７】
なお変形例として、変数特定部１０２は、参加群と不参加群との間又は改善群と非改善群との間で有意差を確認する際に、事業の介入開始日よりも所定期間（例えば２ヶ月）以上前の検査値の平均に有意な差があるか否かを確認してもよい。また、ｔ検定以外の周知の検定方法を用いてもよい。
【００３８】
区間推定部１０３は、診療情報ＤＢ１１１と事業結果ＤＢ１１２とを参照して、事業ごとに参加群について、変数特定部１０２により当該事業について特定された検査項目の検査値の信頼区間を推定する。具体的には、事業に係る生活習慣病重症化予防への参加に同意した各個人の、当該事業の介入開始日より前の直近の検査値に基づいて検査値の９５％信頼区間を推定する。信頼区間を推定すると、事業の名称と分類カテゴリとに対応付けて統計結果ＤＢ１１３に格納する。
【００３９】
また、区間推定部１０３は、診療情報ＤＢ１１１と事業結果ＤＢ１１２とを参照して、事業ごとに改善群について、変数特定部１０２により当該事業について特定された検査項目の検査値の信頼区間を推定する。具体的には、事業に係る生活習慣病重症化予防により健康状態が改善した各個人の、当該事業の介入開始日より前の直近の検査値に基づいて検査値の９５％信頼区間を推定する。信頼区間を推定すると、事業の名称と分類カテゴリとに対応付けて統計結果ＤＢ１１３に格納する。
【００４０】
なお変形例として、区間推定部１０３は、参加群又は改善群について検査値の信頼区間を推定する際に、事業の介入開始日より所定期間（例えば２ヶ月）以上前の検査値に基づいて検査値の信頼区間を推定してもよい。また、９５％以外の信頼度の信頼区間を推定してもよい。
【００４１】
スコア割当部１０４は、スコアカテゴリごとに、統計結果ＤＢ１１３を参照して、変数特定部１０２により特定された検査項目の検査値がとり得る値に対して、区間推定部１０３により推定された信頼区間に基づいてスコアを割り当てる。具体的には、スコアカテゴリごとに、信頼区間に含まれる検査値に対してはスコア「１０」を割り当て、信頼区間に含まれない検査値に対してはスコア「０」を割り当てる。一例として、図５に例示する注意喚起・改善スコアを、収縮期血圧のとり得る各値に割り当てる場合には、統計結果ＤＢ１１３において事業名称「注意喚起」と分類カテゴリ「改善群」とに対応付けられている信頼区間「１３０〜１９０」に含まれる血圧値にはスコア「１０」を割り当てる一方で、当該信頼区間に含まれない血圧値にはスコア「０」を割り当てる。スコア割当部１０４は、検査項目ごとに割り当てた各スコアカテゴリのスコアをスコアテーブル１１４に格納する。なお、ここで説明したスコア「１０」及び「０」は、あくまでスコア値の一例であり、本装置の評価結果の妥当性に鑑みて利用者により別の値に調整されてもよい。
【００４２】
スコア特定部１０５は、スコアテーブル１１４を参照して、生活習慣病重症化予防の対象者候補の各検査値について、当該検査値に割り当てられた各スコアカテゴリのスコアを特定する。そして、各検査値について特定した各スコアカテゴリのスコアを、当該対象者候補の氏名並びに被保険者証の記号及び番号と対応付けて対象者中間スコアＤＢ１１５に格納する。なお、生活習慣病重症化予防の対象者候補の各検査値は、診療情報ＤＢ１１１から取得されてもよいし、通信回線を介して情報取得部１０１により取得されてもよい。
【００４３】
合計スコア算出部１０６は、対象者中間スコアＤＢ１１５を参照して、生活習慣病重症化予防の対象者候補について、スコアカテゴリごとにスコア特定部１０５により特定された各スコアを合計する。そして、スコアカテゴリごとに算出した合計スコアを、当該対象者候補の氏名並びに被保険者証の記号及び番号と対応付けて合計スコア算出部１０６に格納する。
【００４４】
評価部１０７は、対象者最終スコアＤＢ１１６を参照して、生活習慣病重症化予防の対象者候補について、スコアカテゴリごとに、合計スコア算出部１０６により算出された合計スコアに基づいて評価指標を付与する。具体的には、スコアカテゴリごとに合計スコアを閾値と比較することにより評価指標を付与する。より具体的には、合計スコアが閾値「４０」以上の場合には評価指標「高（二重丸印）」を付与し、合計スコアが閾値「２０」以上「４０」未満の場合には評価指標「中（丸印）」を付与し、合計スコアが閾値「２０」未満の場合には評価指標「低（バツ印）」を付与する。各スコアカテゴリについて評価指標を付与すると、当該対象者候補の氏名並びに被保険者証の記号及び番号と対応付けて合計スコア算出部１０６に格納する。なお、ここで説明した閾値「４０」及び「２０」は、あくまで閾値の一例であり、本装置の評価結果の妥当性に鑑みて利用者により別の値に調整されてもよい。
以上が、制御部１０の機能についての説明である。
【００４５】
１−２．動作
対象者抽出支援装置１の動作について説明する。具体的には、スコアテーブル１１４を作成するスコアテーブル作成処理と、生活習慣病重症化予防の対象者候補について評価指標を付与する生活習慣病重症化予防対象者評価処理とについて説明する。
【００４６】
１−２−１．スコアテーブル作成処理
図８は、スコアテーブル作成処理の一例を示すフロー図である。スコアテーブル作成処理は、対象者抽出支援装置１の利用者による指示により又は所定のタイミングにおいて繰り返し実行され、その度にスコアテーブル１１４は更新される。例えば、毎年度、診療情報ＤＢ１１１と事業結果ＤＢ１１２とが更新された後に、生活習慣病重症化予防対象者評価処理が実行される直前に１度実行される。
【００４７】
対象者抽出支援装置１の変数特定部１０２は、診療情報ＤＢ１１１と事業結果ＤＢ１１２とを参照して、事業ごとに、参加群と不参加群との間で統計的に有意差のある１以上の検査項目を特定する（Ｓａ１）。検査項目が特定されると、区間推定部１０３は、診療情報ＤＢ１１１と事業結果ＤＢ１１２とを参照して、事業ごとに参加群について、ステップＳａ１において当該事業について特定された検査項目の検査値の信頼区間を推定する（Ｓａ２）。そして、推定した信頼区間を、事業の名称と分類カテゴリとに対応付けて統計結果ＤＢ１１３に格納する。信頼区間が推定されると、スコア割当部１０４は、スコアカテゴリごとに、統計結果ＤＢ１１３を参照して、ステップＳａ１において特定された検査項目の検査値がとり得る値に対して、ステップＳａ２において推定された信頼区間に基づいてスコアを割り当てる（Ｓａ３）。そして、検査項目ごとに割り当てた各スコアカテゴリのスコアをスコアテーブル１１４に格納する。
【００４８】
参加群についてスコアの割り当てが完了すると、次に変数特定部１０２は、診療情報ＤＢ１１１と事業結果ＤＢ１１２とを参照して、改善群と非改善群との間で統計的に有意差のある１以上の検査項目を特定する（Ｓａ４）。検査項目が特定されると、区間推定部１０３は、診療情報ＤＢ１１１と事業結果ＤＢ１１２とを参照して、事業ごとに改善群について、ステップＳａ４において当該事業について特定された検査項目の検査値の信頼区間を推定する（Ｓａ５）。そして、推定した信頼区間を、事業の名称と分類カテゴリとに対応付けて統計結果ＤＢ１１３に格納する。信頼区間が推定されると、スコア割当部１０４は、スコアカテゴリごとに、統計結果ＤＢ１１３を参照して、ステップＳａ４において特定された検査項目の検査値がとり得る値に対して、ステップＳａ５において推定された信頼区間に基づいてスコアを割り当てる（Ｓａ６）。そして、検査項目ごとに割り当てた各スコアカテゴリのスコアをスコアテーブル１１４に格納する。
以上が、スコアテーブル作成処理についての説明である。
【００４９】
１−２−２．生活習慣病重症化予防対象者評価処理
図９は、生活習慣病重症化予防対象者評価処理の一例を示すフロー図である。生活習慣病重症化予防対象者評価処理は、対象者抽出支援装置１の利用者による指示により又は所定のタイミングにおいて実行される。例えば、毎年度、生活習慣病重症化予防事業の開始前に１度実行される。
【００５０】
対象者抽出支援装置１のスコア特定部１０５は、スコアテーブル１１４を参照して、生活習慣病重症化予防の対象者候補の各検査値について、当該検査値に割り当てられた各スコアカテゴリのスコアを特定する（Ｓｂ１）。そして、各検査値について特定した各スコアカテゴリのスコアを、当該対象者候補の氏名並びに被保険者証の記号及び番号と対応付けて対象者中間スコアＤＢ１１５に格納する。各検査値について各スコアカテゴリのスコアが特定されると、合計スコア算出部１０６は、対象者中間スコアＤＢ１１５を参照して、生活習慣病重症化予防の対象者候補について、スコアカテゴリごとにステップＳｂ１において特定された各スコアを合計する（Ｓｂ２）。そして、スコアカテゴリごとに算出した合計スコアを、当該対象者候補の氏名並びに被保険者証の記号及び番号と対応付けて対象者最終スコアＤＢ１１６に格納する。スコアカテゴリごとに合計スコアが算出されると、評価部１０７は、対象者最終スコアＤＢ１１６を参照して、生活習慣病重症化予防の対象者候補について、スコアカテゴリごとに、ステップＳｂ２において算出された合計スコアに基づいて評価指標を付与する（Ｓｂ３）。そして、付与した評価指標を、当該対象者候補の氏名並びに被保険者証の記号及び番号と対応付けて対象者最終スコアＤＢ１１６に格納する。
以上が、生活習慣病重症化予防対象者評価処理についての説明である。
【００５１】
以上説明した対象者抽出支援装置１によれば、生活習慣病重症化予防事業ごとに、生活習慣病重症化予防に参加する可能性の高い対象者と、生活習慣病重症化予防により健康状態が改善する可能性の高い対象者を特定することができる。そのような対象者に対して優先的に生活習慣病重症化予防を実施することで、生活習慣病重症化予防の効率を向上させることができる。
【００５２】
２．変形例
上記の実施形態は、以下に記載するように変形してもよい。なお、以下に記載する１以上の変形例は、互いに組み合わせてもよい。
【００５３】
２−１．変形例
対象者抽出支援装置１は、生活習慣病重症化予防に参加する可能性を示す評価指標と生活習慣病重症化予防により健康状態が改善する可能性を示す評価指標のうち、いずれか一方のみを付与するようにしてもよい。すなわち、上記のスコアテーブル作成処理において、ステップＳａ１〜Ｓａ３とステップＳａ４〜Ｓａ６のうち、一方のみを実行するようにしてもよい。また、上記の生活習慣病重症化予防対象者評価処理において、参加可能性を示す評価指標と改善可能性を示す評価指標のうち、いずれか一方のみを付与するようにしてもよい。
【００５４】
２−２．変形例２
区間推定部１０３は、参加群に代えて不参加群について、変数特定部１０２により特定された検査項目の検査値の信頼区間を推定するようにしてもよい。同様に、改善群に代えて非改善群について、変数特定部１０２により特定された検査項目の検査値の信頼区間を推定するようにしてもよい。その場合、スコア割当部１０４は、信頼区間に含まれる検査値に対して、スコア「１０」に代えてスコア「−１０」を割り当て、信頼区間に含まれない検査値に対してはスコア「０」を割り当てる。なお、ここで説明したスコア「−１０」及び「０」は、あくまでスコア値の一例であり、本装置の評価結果の妥当性に鑑みて利用者により別の値に調整されてもよい。
【００５５】
２−３．変形例３
対象者抽出支援装置１は、診療情報ＤＢ１１１に記録される検査値に代えて、当該検査値の変化量に基づいて生活習慣病重症化予防対象者候補の参加可能性及び改善可能性を評価するようにしてもよい。その場合、変数特定部１０２は、参加群と不参加群の間と改善群と非改善群の間で、統計的に有意差のある検査項目に代えて、統計的に有意差のある検査値の変化量を特定する。その際、変数特定部１０２は、有意差の確認にｔ検定を用い、参加群と不参加群の間と改善群と非改善群の間で、事業の介入開始日より前の直近の検査値と介入開始日から所定期間（例えば１年間）以上前の日の直近の検査値との差の平均に有意な差があるか否かを確認する。あるいは、当該差を後者の検査値で除して得た値の平均に有意な差があるか否かを確認する。また、区間推定部１０３は、参加群及び改善群について、検査値に代えて検査値の変化量の信頼区間を推定する。具体的には、事業の介入開始日より前の直近の検査値と介入開始日から上記所定期間以上前の日の直近の検査値との差の信頼区間を推定する。あるいは、当該差を後者の検査値で除して得た値の信頼区間を推定する。また、スコア割当部１０４は、検査値に代えて検査値の変化量がとり得る値に対して、区間推定部１０３により推定された信頼区間に基づいてスコアを割り当てる。また、スコア特定部１０５は、生活習慣病重症化予防対象者候補の各検査値に代えて各検査値の変化量について、当該変化量に割り当てられた各スコアカテゴリのスコアを特定する。
【００５６】
２−４．変形例４
事業結果ＤＢ１１２に記録される、生活習慣病重症化予防への参加に対する同意の有無の情報を、より具体化してもよい。具体的には、「同意あり」を、「同意あり且つかかりつけ医の選定あり」と「同意あり且つかかりつけ医の選定なし」に細分化してもよい。あるいは、「同意あり」を、「同意あり且つ途中脱落」と「同意あり且つ途中脱落なし」に細分化してもよい。このように同意の有無の情報を細分化した場合、対象者抽出支援装置１は、参加に同意し且つかかりつけ医に選定された個人からなる参加群か、または参加に同意し且つ途中脱落しなかった個人からなる参加群について、その他の個人からなる群との間で統計的に有意差のある検査項目を特定し、特定した検査項目の検査値の信頼区間を推定するようにしてもよい。なお、上記のような参加の経緯を利用者に選択させるために、制御部１０は選択受付部をさらに備えてもよい。
【００５７】
２−５．変形例５
対象者抽出支援装置１は、改善群のうち、特に特定の生活習慣病重症化予防の方法で健康状態が改善した個人からなる改善群について、その他の個人からなる群との間で統計的に有意差のある検査項目を特定し、特定した検査項目の検査値の信頼区間を推定するようにしてもよい。ここで、生活習慣病重症化予防の方法は、指導の手段、指導する専門職、指導内容の３つの観点で分類される。指導の手段には文書通知、電話、面談等があり、指導する専門職には保健師、看護師、管理栄養士等がおり、指導内容には食事指導、運動指導等がある。なお、特定の生活習慣病重症化予防の方法を利用者に選択させるために、制御部１０は選択受付部をさらに備えてもよい。
【００５８】
２−６．変形例６
事業結果ＤＢ１１２に記録される介入結果の情報をより具体化してもよい。具体的には、ＨｂＡ１ｃ、ＢＭＩ及び血圧（収縮期及び拡張期）の各々について、改善、維持又は悪化のいずれに該当するかを記録してもよい。その場合、対象者抽出支援装置１は、特定の１以上の検査項目の検査値が改善した個人からなる改善群について、その他の個人からなる群との間で統計的に有意差のある検査項目を特定し、特定した検査項目の検査値の信頼区間を推定するようにしてもよい。なお、特定の１以上の検査項目を利用者に選択させるために、制御部１０は選択受付部をさらに備えてもよい。
【００５９】
２−７．変形例７
区間推定部１０３は、変数特定部１０２により当該事業について特定された検査項目の各々について、それぞれ信頼度が異なる複数の信頼区間を推定するようにしてもよい。例えば、９９％信頼区間と９５％信頼区間と６８％信頼区間の３つの信頼区間を推定するようにしてもよい。そして、スコア割当部１０４は、変数特定部１０２により特定された検査項目の検査値がとり得る値に対して、区間推定部１０３により推定された複数の信頼区間に基づいてスコアを割り当てるようにしてもよい。例えば、６８％信頼区間に含まれる検査値に対してはスコア「１０」を割り当て、６８％信頼区間には含まれないが９５％信頼区間に含まれる検査値に対してはスコア「５」を割り当て、９５％信頼区間には含まれないが９９％信頼区間に含まれる検査値に対してはスコア「３」を割り当て、９９％信頼区間に含まれない検査値に対してはスコア「０」を割り当てるようにしてもよい。なお、ここで説明した各スコアは、あくまでスコア値の一例であり、本装置の評価結果の妥当性に鑑みて利用者により別の値に調整されてもよい。
【００６０】
２−８．変形例８
診療情報ＤＢ１１１に記録されるＨｂＡ１ｃ、ＢＭＩ及び血圧はあくまで検査値の一例である。これらに加えて又は代えて、血糖値、中性脂肪、ＨＤＬコレステロール、ＬＤＬコレステロール、尿蛋白、尿糖、腹囲、体重等の検査値が記録されてもよい。
【００６１】
２−９．変形例９
診療情報ＤＢ１１１に記録されるＨｂＡ１ｃ、ＢＭＩ及び血圧等の検査値はあくまで診療情報の一例である。これらに加えて又は代えて、病名、所見、病歴、治療方法、属性等の診療情報が診療日と対応付けられて記録されてもよい。ここで、治療方法には処方（具体的には、処方薬名、薬量、処方量等）と処置（具体的には、手術名、手技等）が含まれ、属性には住所、性別、年齢及び職業が含まれる。病名等の診療情報が記録される場合、診療期間、診療経過、病歴、薬量、処方量、年齢等の量的変数については、変数特定部１０２は、検査項目と同様に、参加群と不参加群の間と改善群と非改善群の間で、統計的に有意差のある変数を特定する。そして、区間推定部１０３は、参加群及び改善群について、変数特定部１０２により特定された変数の値の信頼区間を推定する。そして、スコア割当部１０４は、変数特定部１０２により特定された変数の値がとり得る値に対して、区間推定部１０３により推定された信頼区間に基づいてスコアを割り当てる。そして、スコア特定部１０５は、生活習慣病重症化予防の対象者候補の上記変数の値について、当該値に割り当てられた各スコアカテゴリのスコアを特定する。
【００６２】
一方、病名等その他の質的変数については、変数特定部１０２は、参加群と不参加群との間で、カイ二乗検定等の検定を用いて、統計的に有意差のある変数を特定する。具体的には、参加群と不参加群との間で、事業の介入開始日より所定期間（例えば１年間）内に診療情報ＤＢ１１１において当該変数の値と対応付けられている個人の数の差が有意であるか否かを確認する。同様に、変数特定部１０２は、改善群と非改善群との間で、カイ二乗検定等の検定を用いて、統計的に有意差のある変数を特定する。具体的には、改善群と非改善群との間で、事業の介入開始日より所定期間（例えば１年間）内に診療情報ＤＢ１１１において当該変数の値と対応付けられている個人の数の差が有意であるか否かを確認する。そして、スコア割当部１０４は、変数特定部１０２により特定された変数の値がとり得る値に対して、参加群の中で当該変数の一の値と診療情報ＤＢ１１１において対応付けられている個人の数と不参加群の中で当該一の値と診療情報ＤＢ１１１において対応付けられている個人の数の比較結果に基づいてスコアを割り当てる。例えば、参加群の中で糖尿病に罹患している個人の数が不参加群の中で糖尿病に罹患している個人の数よりも多い場合には、カテゴリ「糖尿病あり」に対してスコア「１０」を割り当て、カテゴリ「糖尿病なし」に対してはスコア「０」を割り当てる。同様に、スコア割当部１０４は、変数特定部１０２により特定された変数の値がとり得る値に対して、改善群の中で当該変数の一の値と診療情報ＤＢ１１１において対応付けられている個人の数と非改善群の中で当該一の値と診療情報ＤＢ１１１において対応付けられている個人の数の比較結果に基づいてスコアを割り当てる。そして、スコア特定部１０５は、生活習慣病重症化予防対象者候補の上記変数の値について、当該値に割り当てられた各スコアカテゴリのスコアを特定する。
【００６３】
２−１０．変形例１０
対象者抽出支援装置１において実行されるプログラムは、コンピュータ装置が読み取り可能な記録媒体に記録されて配布されてもよい。ここで記録媒体とは、例えば、磁気テープや磁気ディスクなどの磁気記録媒体や、光ディスクなどの光記録媒体や、光磁気記録媒体や、半導体メモリである。また、このプログラムは、インターネット等のネットワークを介して配信されてもよい。
【００６４】
２−１１．変形例１１
対象者抽出支援装置１は、上記の生活習慣病重症化予防対象者評価処理において、評価指標の付与（ステップＳｂ３）を省略してもよい。言い換えると、当該装置において評価部１０７の機能は省略されてもよい。または、上記の生活習慣病重症化予防対象者評価処理において、評価指標の付与に加えて合計スコアの算出（ステップＳｂ２）を省略してもよい。言い換えると、当該装置において評価部１０７に加えて合計スコア算出部１０６の機能が省略されてもよい。これらの場合でも当該装置の利用者は、合計スコア又は各検査値について特定されたスコアを参照することで、生活習慣病重症化予防に参加する可能性の高い対象者と、生活習慣病重症化予防により健康状態が改善する可能性の高い対象者を特定することができる。なお、前者の例において対象者抽出支援装置１は、各スコアカテゴリについて、合計スコアが所定の閾値を越えた対象者候補を抽出するようにしてもよい。また後者の例において当該装置は、各スコアカテゴリについて、いずれかの検査値について特定されたスコアが所定の閾値を越えた対象者候補や、スコアが所定の閾値を越えた検査値の数が所定の数を超えた対象者候補を抽出するようにしてもよい。
【符号の説明】
【００６５】
１…生活習慣病重症化予防対象者抽出支援装置、１０…制御部、１１…記憶部、１２…操作入力部、１３…表示部、１４…通信部、１０１…情報取得部、１０２…変数特定部、１０３…区間推定部、１０４…スコア割当部、１０５…スコア特定部、１０６…合計スコア算出部、１０７…評価部、１１１…診療情報ＤＢ、１１２…事業結果ＤＢ、１１３…統計結果ＤＢ、１１４…スコアテーブル、１１５…対象者中間スコアＤＢ、１１６…対象者最終スコアＤＢ
【図１】
2018160012.tif 000003
【図２】
2018160012.tif 000004
【図３】
2018160012.tif 000005
【図４】
2018160012.tif 000006
【図５】
2018160012.tif 000007
【図６】
2018160012.tif 000008
【図７】
2018160012.tif 000009
【図８】
2018160012.tif 000010
【図９】
2018160012.tif 000011
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
複数の個人の各々について診療情報と生活習慣病重症化予防事業の結果とを記録するデータベースを参照して、生活習慣病重症化予防により健康状態が改善した改善群と改善しなかった非改善群との間で統計的に有意差のある１以上の変数であって、検査値又は当該検査値の変化量を各々示す１以上の変数を特定する変数特定部と、
前記改善群と前記非改善群のうちのいずれかについて、前記変数特定部により特定された１以上の変数の各々について当該変数の値の信頼区間を推定する区間推定部と、
前記１以上の変数の各々について、前記区間推定部により推定された信頼区間に基づいて当該変数がとり得る各値に、生活習慣病重症化予防により健康状態が改善する可能性を示すスコアを割り当てるスコア割当部と、
生活習慣病重症化予防の対象者候補の前記１以上の変数の各値について、前記スコア割当部により当該値に割り当てられたスコアを特定するスコア特定部と
を備え、
前記変数特定部は、前記改善群と前記非改善群との間で統計的に有意差のある１以上の他の変数であって、特定の病気の有無、特定の治療方法の採否又は特定の属性の有無を各々示す１以上の他の変数を特定し、
前記スコア割当部は、前記変数特定部により特定された前記１以上の他の変数の各々について、前記改善群の中で当該変数の一の値と前記データベースにおいて対応付けられている個人の数と前記非改善群の中で当該一の値と前記データベースにおいて対応付けられている個人の数の比較結果に基づいて、当該変数がとり得る各値にスコアを割り当て、
前記スコア特定部は、前記対象者候補の前記１以上の他の変数の各値について、前記スコア割当部により当該値に割り当てられたスコアを特定する
ことを特徴とする生活習慣病重症化予防対象者抽出支援装置。
【請求項２】
生活習慣病重症化予防の方法の選択を受け付ける選択受付部をさらに備え、
前記変数特定部は、前記選択受付部を介して選択された生活習慣病重症化予防の方法により健康状態が改善した改善群と改善しなかった非改善群との間で統計的に有意差のある１以上の変数を特定し、
前記区間推定部は、前記選択受付部を介して選択された生活習慣病重症化予防の方法により健康状態が改善した改善群と改善しなかった非改善群のうちのいずれかについて、前
記変数特定部により特定された１以上の変数の各々について当該変数の値の信頼区間を推定する
ことを特徴とする請求項１に記載の生活習慣病重症化予防対象者抽出支援装置。
【請求項３】
複数の個人の各々について診療情報と生活習慣病重症化予防事業の結果とを記録するデータベースを参照して、生活習慣病重症化予防に参加した参加群と参加しなかった不参加群との間で統計的に有意差のある１以上の変数であって、検査値又は当該検査値の変化量を各々示す１以上の変数を特定する変数特定部と、
前記参加群と前記不参加群のうちのいずれかについて、前記変数特定部により特定された１以上の変数の各々について当該変数の値の信頼区間を推定する区間推定部と、
前記１以上の変数の各々について、前記区間推定部により推定された信頼区間に基づいて当該変数がとり得る各値に、生活習慣病重症化予防に参加する可能性を示すスコアを割り当てるスコア割当部と、
生活習慣病重症化予防の対象者候補の前記１以上の変数の各値について、前記スコア割当部により当該値に割り当てられたスコアを特定するスコア特定部と
を備え、
前記変数特定部は、前記参加群と前記不参加群との間で統計的に有意差のある１以上の他の変数であって、特定の病気の有無、特定の治療方法の採否又は特定の属性の有無を各々示す１以上の他の変数を特定し、
前記スコア割当部は、前記変数特定部により特定された前記１以上の他の変数の各々について、前記参加群の中で当該変数の一の値と前記データベースにおいて対応付けられている個人の数と前記不参加群の中で当該一の値と前記データベースにおいて対応付けられている個人の数の比較結果に基づいて、当該変数がとり得る各値にスコアを割り当て、
前記スコア特定部は、前記対象者候補の前記１以上の他の変数の各値について、前記スコア割当部により当該値に割り当てられたスコアを特定する
ことを特徴とする生活習慣病重症化予防対象者抽出支援装置。
【請求項４】
前記変数特定部は、前記データベースが更新されると、統計的に有意差のある１以上の変数を再特定し、
前記区間推定部は、前記変数特定部により再特定された１以上の変数の各々について当該変数の値の信頼区間を再推定し、
前記スコア割当部は、前記１以上の変数の各々について、前記区間推定部により再推定された信頼区間に基づいて当該変数がとり得る各値に対してスコアの再割り当てを行う
ことを特徴とする請求項１乃至３のいずれか１項に記載の生活習慣病重症化予防対象者抽出支援装置。
【請求項５】
前記区間推定部は、前記１以上の変数の各々について、それぞれ信頼度が異なる複数の信頼区間を推定し、
前記スコア割当部は、前記１以上の変数の各々について、前記区間推定部により推定された複数の信頼区間に基づいて当該変数がとり得る各値にスコアを割り当てる
ことを特徴とする請求項１乃至４のいずれか１項に記載の生活習慣病重症化予防対象者抽出支援装置。
【請求項６】
生活習慣病重症化予防対象者抽出支援装置により実行される生活習慣病重症化予防対象者抽出支援方法であって、
複数の個人の各々について診療情報と生活習慣病重症化予防事業の結果とを記録するデータベースを参照して、生活習慣病重症化予防により健康状態が改善した改善群と改善しなかった非改善群との間で統計的に有意差のある１以上の変数であって、検査値又は当該検査値の変化量を各々示す１以上の変数を特定するステップと、
前記改善群と前記非改善群のうちのいずれかについて、前記特定された１以上の変数の
各々について当該変数の値の信頼区間を推定するステップと、
前記１以上の変数の各々について、前記推定された信頼区間に基づいて当該変数がとり得る各値に、生活習慣病重症化予防により健康状態が改善する可能性を示すスコアを割り当てるステップと、
生活習慣病重症化予防の対象者候補の前記１以上の変数の各値について、当該値に割り当てられたスコアを特定するステップと、
前記改善群と前記非改善群との間で統計的に有意差のある１以上の他の変数であって、特定の病気の有無、特定の治療方法の採否又は特定の属性の有無を各々示す１以上の他の変数を特定するステップと、
前記特定された前記１以上の他の変数の各々について、前記改善群の中で当該変数の一の値と前記データベースにおいて対応付けられている個人の数と前記非改善群の中で当該一の値と前記データベースにおいて対応付けられている個人の数の比較結果に基づいて、当該変数がとり得る各値にスコアを割り当てるステップと、
前記対象者候補の前記１以上の他の変数の各値について、当該値に割り当てられたスコアを特定するステップと
を備える生活習慣病重症化予防対象者抽出支援方法。
【請求項７】
生活習慣病重症化予防対象者抽出支援装置により実行される生活習慣病重症化予防対象者抽出支援方法であって、
複数の個人の各々について診療情報と生活習慣病重症化予防事業の結果とを記録するデータベースを参照して、生活習慣病重症化予防に参加した参加群と参加しなかった不参加群との間で統計的に有意差のある１以上の変数であって、検査値又は当該検査値の変化量を各々示す１以上の変数を特定するステップと、
前記参加群と前記不参加群のうちのいずれかについて、前記特定された１以上の変数の各々について当該変数の値の信頼区間を推定するステップと、
前記１以上の変数の各々について、前記推定された信頼区間に基づいて当該変数がとり得る各値に、生活習慣病重症化予防に参加する可能性を示すスコアを割り当てるステップと、
生活習慣病重症化予防の対象者候補の前記１以上の変数の各値について、当該値に割り当てられたスコアを特定するステップと、
前記参加群と前記不参加群との間で統計的に有意差のある１以上の他の変数であって、特定の病気の有無、特定の治療方法の採否又は特定の属性の有無を各々示す１以上の他の変数を特定するステップと、
前記特定された前記１以上の他の変数の各々について、前記参加群の中で当該変数の一の値と前記データベースにおいて対応付けられている個人の数と前記不参加群の中で当該一の値と前記データベースにおいて対応付けられている個人の数の比較結果に基づいて、当該変数がとり得る各値にスコアを割り当てるステップと、
前記対象者候補の前記１以上の他の変数の各値について、当該値に割り当てられたスコアを特定するステップと
を備える生活習慣病重症化予防対象者抽出支援方法。
【請求項８】
コンピュータに、
複数の個人の各々について診療情報と生活習慣病重症化予防事業の結果とを記録するデータベースを参照して、生活習慣病重症化予防により健康状態が改善した改善群と改善しなかった非改善群との間で統計的に有意差のある１以上の変数であって、検査値又は当該検査値の変化量を各々示す１以上の変数を特定するステップと、
前記改善群と前記非改善群のうちのいずれかについて、前記特定された１以上の変数の各々について当該変数の値の信頼区間を推定するステップと、
前記１以上の変数の各々について、前記推定された信頼区間に基づいて当該変数がとり得る各値に、生活習慣病重症化予防により健康状態が改善する可能性を示すスコアを割り
当てるステップと、
生活習慣病重症化予防の対象者候補の前記１以上の変数の各値について、当該値に割り当てられたスコアを特定するステップと、
前記改善群と前記非改善群との間で統計的に有意差のある１以上の他の変数であって、特定の病気の有無、特定の治療方法の採否又は特定の属性の有無を各々示す１以上の他の変数を特定するステップと、
前記特定された前記１以上の他の変数の各々について、前記改善群の中で当該変数の一の値と前記データベースにおいて対応付けられている個人の数と前記非改善群の中で当該一の値と前記データベースにおいて対応付けられている個人の数の比較結果に基づいて、当該変数がとり得る各値にスコアを割り当てるステップと、
前記対象者候補の前記１以上の他の変数の各値について、当該値に割り当てられたスコアを特定するステップと
を実行させるためのプログラム。
【請求項９】
コンピュータに、
複数の個人の各々について診療情報と生活習慣病重症化予防事業の結果とを記録するデータベースを参照して、生活習慣病重症化予防に参加した参加群と参加しなかった不参加群との間で統計的に有意差のある１以上の変数であって、検査値又は当該検査値の変化量を各々示す１以上の変数を特定するステップと、
前記参加群と前記不参加群のうちのいずれかについて、前記特定された１以上の変数の各々について当該変数の値の信頼区間を推定するステップと、
前記１以上の変数の各々について、前記推定された信頼区間に基づいて当該変数がとり得る各値に、生活習慣病重症化予防に参加する可能性を示すスコアを割り当てるステップと、
生活習慣病重症化予防の対象者候補の前記１以上の変数の各値について、当該値に割り当てられたスコアを特定するステップと、
前記参加群と前記不参加群との間で統計的に有意差のある１以上の他の変数であって、特定の病気の有無、特定の治療方法の採否又は特定の属性の有無を各々示す１以上の他の変数を特定するステップと、
前記特定された前記１以上の他の変数の各々について、前記参加群の中で当該変数の一の値と前記データベースにおいて対応付けられている個人の数と前記不参加群の中で当該一の値と前記データベースにおいて対応付けられている個人の数の比較結果に基づいて、当該変数がとり得る各値にスコアを割り当てるステップと、
前記対象者候補の前記１以上の他の変数の各値について、当該値に割り当てられたスコアを特定するステップと
を実行させるためのプログラム。